(57)【特許請求の範囲】
【請求項１】
さけ・ます用自然産卵床装置であって、
外槽と、
前記外槽の内部に配置され、前記外槽の底壁との間に所定間隔へだてて設けられた底壁を有する産卵槽とを備え、
前記産卵槽の前記底壁には複数の貫通穴が設けられ、前記産卵槽の底部には砂利を敷き詰めた砂利層が設けられており、
前記外槽に水を供給すると、前記産卵槽に水が導入され、前記産卵槽に導入された水が流水状態で前記産卵槽から越流し、かつ、前記外槽と前記産卵槽との水頭差により、前記貫通穴を介して、前記砂利層から水が湧き上がるように構成されていることを特徴とする装置。
【請求項２】
前記産卵槽が区画壁により複数の槽に分割されており、所望の槽で産卵行動をさせることができるように構成されていることを特徴とする請求項１に記載の装置。
【発明の詳細な説明】
【技術分野】
【０００１】
本発明は一般に、さけ・ます用自然産卵床装置に関する。より詳細には、本発明は、自然に近い状態でさけ・ますの産卵を促進させるさけ・ます用自然産卵床装置に関する。
【背景技術】
【０００２】
さけやますは、河床からの湧水がある場所で産卵をすることが知られている。この河床からの湧水は、地下水によるものでなくともよく、川の水位変化による河床からの湧水でも産卵することが分かっている。一方、現在、さけ・ますの産卵は、人工的なふ化事業に依存しているが実情である。
【発明の開示】
【発明が解決しようとする課題】
【０００３】
上述のように、現在のさけ・ますの産卵は、人工的なふ化事業に依存しているため、多大な手間とコストがかかるという課題がある。また、さけ・ますが遡上する河川を自然産卵が可能なように改修すると、大規模な河川工事が必要となるため、自然環境を破壊するという河川周辺の住民感情に悪影響を与えるおそれがあるという課題がある。
【０００４】
本発明は、このような状況に鑑みて開発されたものであって、大規模な河川工事を必要とせずに、さけ・ますの自然産卵を可能とするさけ・ます用自然産卵床装置を提供することを目的としている。
【課題を解決するための手段】
【０００５】
本願請求項１に記載のさけ・ます用自然産卵床装置は、外槽と、前記外槽の内部に配置され、前記外槽の底壁との間に所定間隔へだてて設けられた底壁を有する産卵槽とを備え、前記産卵槽の前記底壁には複数の貫通穴が設けられ、前記産卵槽の底部には砂利を敷き詰めた砂利層が設けられており、前記外槽に水を供給すると、前記産卵槽に水が導入され、前記産卵槽に導入された水が流水状態で前記産卵槽から越流し、かつ、前記外槽と前記産卵槽との水頭差により、前記貫通穴を介して、前記砂利層から水が湧き上がるように構成されていることを特徴とするものである。
【０００６】
本願請求項２に記載のさけ・ます用自然産卵床装置は、前記請求項１の装置において、前記産卵槽が区画壁により複数の槽に分割されており、所望の槽で産卵行動をさせることができるように構成されていることを特徴とするものである。
【発明の効果】
【０００７】
本発明の自然産卵床装置によれば、さけ・ますの産卵に必須の湧水箇所を簡単な構造で提供することができるので、大規模な河川工事を必要とせずに、さけ・ますの自然産卵を比較的安価に可能とすることができる。また、産卵槽を複数設けることにより、所望の産卵槽を選択することができるので、さけ・ますの産卵習性に適合した自然産卵を行うことが可能となる。
【発明を実施するための最良の形態】
【０００８】
次に図面を参照して、本発明の好ましい実施の形態に係るさけ・ます用自然産卵床装置について詳細に説明する。図１は、本発明の好ましい実施の形態に係るさけ・ます用自然産卵床装置を模式的に示した部分切り取り斜視図である。図１において全体として参照符号１０で示される本発明の好ましい実施の形態に係るさけ・ます用自然産卵床装置は、長手方向側壁１２ａ、１２ｂ、横断方向側壁１２ｃ、１２ｄ、及び底壁１２ｅを有する外槽１２を備えている。
【０００９】
さけ・ます用自然産卵床装置１０は又、外槽１２内に水を供給する流入路１４と、外槽１２内から水を排出する流出路１６とを備えている。流入路１４は、横断方向側壁１２ｃに接続された管路として示されており、流出路１６は、横断方向側壁１２ｄに接続された開水路として示されている。
【００１０】
さけ・ます用自然産卵床装置１０は又、外槽１２の横断方向側壁１２ｃとの間に所定間隔へだてて配置された内部横断方向壁１８と、外槽１２の底壁１２ｅとの間に所定間隔へだてて配置された内部底壁２０を備えており、これにより外槽１２の横断方向側壁１２ｃ及び底壁１２ｅと内部底壁２０との間に底部流路２２が形成されることとなる。
【００１１】
さけ・ます用自然産卵床装置１０は更に、外槽１２、内部横断方向内壁１８、及び内部底壁２０及び外槽１２によって囲まれる産卵槽を備えている。産卵槽は、第１区画壁２４及び第２区画壁２６によって、３つの槽、即ち、第１産卵槽２８、第２産卵槽３０、及び第３産卵槽３２に分割されている。
【００１２】
各産卵槽２８、３０、３２の底部を形成する内部底壁２０には、複数の貫通穴３４が設けられており、これにより底部流路２２と各産卵槽２８、３０、３２は連通している。なお、さけ・ます用自然産卵床装置１０の使用時には、図３に最も良く示されるように、各産卵槽２８、３０、３２の底部には砂利が敷き詰められている。
【００１３】
各産卵槽２８、３０、３２は、流路３６を介して、流出路１６と連通しており、各産卵槽２８、３０、３２と流路３６は、昇降可能なゲート２８ａ、３０ａ、３２ａによって互いに遮断されている。なお、好ましくは、流路３６には、さけ・ますの遡上を防止するため、流出路１６との間に昇降可能なゲート３６ａが設けられている。
【００１４】
また、好ましくは、流入路１４から流入した水が、各産卵槽２８、３０、３２に越流し易いように、内部横断方向壁１８、第１区画壁２４、第２区画壁２６の上端に切欠き１８ａ、２４ａ、２６ａが設けられている。そして、各切欠き１８ａ、２４ａ、２６ａの下端高さは、切欠き１８ａよりも切欠き２４ａが低く、切欠き２４ａよりも切欠き２６ａが低くなるように形成されているため、各産卵槽２８、３０、３２に導入された水は、流水状態を維持して産卵槽から排出されるようになっている。
【００１５】
以上のように構成されたさけ・ます用自然産卵床装置１０の使用について説明する。装置１０の使用に先立って、流入路１４を介して装置１０内に水を供給する。すると、内部横断方向壁１８、第１区画壁２４、及び第２区画壁２６をそれぞれ越流して、第１産卵槽２８、第２産卵槽３０、第３産卵槽３２内に水が導入されるが、導入された水は、第１産卵槽２８から第２産卵槽３０に流水状態で移動し、次いで第２産卵槽３０から第３産卵槽３２に流水状態で移動して、流出路１６から排出されるようになっている。一方、横断方向側壁１２ｃと内部横断方向内壁１８との間に位置する水槽と各産卵槽２８、３０、３２との水頭差により、各産卵槽２８、３０、３２の底部の貫通穴３４を介して、砂利層から水が湧き上がるようになっているので、各産卵槽２８、３０、３２の底部は、さけ・ますにとって好適な産卵場所になる。なお、産卵した後に受精卵が核分裂を起こし発眼する前に、他のさけ・ますが受精卵の上に産卵すると、受精卵に衝撃が与えられて死滅するおそれがあることが知られているが、上述のように、複数の産卵槽が設けられているので、或る槽において産卵があった後は受精卵の安定時期になるまで、他の槽で産卵行動をさせるようにすることができる。
【００１６】
本発明は、以上の発明の実施の形態に限定されることなく、特許請求の範囲に記載された発明の範囲内で、種々の変更が可能であり、それらも本発明の範囲内に包含されるものであることはいうまでもない。
【００１７】
例えば、前記実施の形態においては、３つの産卵槽が設けられているが、産卵槽の数をこれ以上にしてもよく、或いはこれ以下にしてもよい。また、装置自体の形状、ゲートの設置位置や形状、産卵槽の底部の貫通穴の形状や個数などは、単なる例示にすぎず、図示したもの以外にしてもよい。さらに、ゲート２８ａ、３０ａ、３２ａ、３４ａは、手動式のものでもよく、自動式（機械駆動、電気駆動を含む）のものでもよい。
【図面の簡単な説明】
【００１８】
【図１】本発明の好ましい実施の形態に係るさけ・ます用自然産卵床装置を模式的に示した部分切り取り斜視図である。
【図２】図１のさけ・ます用自然産卵床装置の平面図である。
【図３】図２の線３−３に沿って見た断面図である。
【符号の説明】
【００１９】
１０  さけ・ます用自然産卵床装置
１２  外槽
１４  流入路
１６  流出路
１８  内部横断方向壁
２０  内部底壁
２２  底部流路
２４、２６  区画壁
２８、３０、３２  産卵槽
３４  貫通穴
３６  流路
【図１】
0004644633.tif 000002
【図２】
0004644633.tif 000003
【図３】
0004644633.tif 000004